【手続補正書】
【提出日】平成26年4月4日(2014.4.4)
【手続補正１】
【補正対象書類名】明細書
【補正対象項目名】００１５
【補正方法】変更
【補正の内容】
【００１５】
本発明の目的は、同色（同種）のインクタンクが複数装着されていることを高い精度で判定することが可能なインクジェット記録装置および当該記録装置に適用可能なインクタンクを提供することである。
【手続補正２】
【補正対象書類名】明細書
【補正対象項目名】００１６
【補正方法】変更
【補正の内容】
【００１６】
そのために本発明では、インク識別情報およびタンク固有情報が記憶されたメモリを有するインクタンクを複数搭載可能な搭載部と、前記搭載部に搭載される複数のインクタンクと共通に電気的に接続可能な共通配線と、前記共通配線と電気的に接続され、前記共通配線を介して前記搭載部に搭載されているインクタンクと情報通信を行うこと可能な制御手段と、を備えたプリンタであって、前記制御手段は、(i)前記搭載部に搭載されているインクタンクからインク識別情報を受信し、(ii)受信したインク識別情報の中から１つのインク識別情報を選択し、(iii)選択したインク識別情報を有するインクタンクにタンク固有情報の返信を要求するためのタンク固有情報要求コマンドを、前記共通配線に送信し、(iv)前記タンク固有情報要求コマンドに対する応答として、前記選択したインク識別情報を有するインクタンクからタンク固有情報を受信し、(v)受信したタンク固有情報を有するインクタンクを前記タンク固有情報要求コマンドに応答しない無応答状態にするための無応答コマンドを、前記共通配線に送信し、(vi)その後、前記タンク固有情報要求コマンドを前記共通配線に送信し、当該タンク固有情報要求コマンドに対する応答を受信した場合には、前記選択したインク識別情報を有するインクタンクが２つ以上搭載されていると判定することが可能なように構成されていることを特徴とする。
【手続補正３】
【補正対象書類名】明細書
【補正対象項目名】００１７
【補正方法】変更
【補正の内容】
【００１７】
以上の構成によれば、記録装置において、同色（同種）のインクタンクが複数装着されていることを高い精度で判定することができ、また、記録装置に適用されるインクタンクは、上記高精度の判定に寄与することができる。
【手続補正４】
【補正対象書類名】特許請求の範囲
【補正対象項目名】全文
【補正方法】変更
【補正の内容】
【特許請求の範囲】
【請求項１】
インク識別情報およびタンク固有情報が記憶されたメモリを有するインクタンクを複数搭載可能な搭載部と、前記搭載部に搭載される複数のインクタンクと共通に電気的に接続可能な共通配線と、前記共通配線と電気的に接続され、前記共通配線を介して前記搭載部に搭載されているインクタンクと情報通信を行うこと可能な制御手段と、を備えたプリンタであって、
前記制御手段は、(i)前記搭載部に搭載されているインクタンクからインク識別情報を受信し、(ii)受信したインク識別情報の中から１つのインク識別情報を選択し、(iii)選択したインク識別情報を有するインクタンクにタンク固有情報の返信を要求するためのタンク固有情報要求コマンドを、前記共通配線に送信し、(iv)前記タンク固有情報要求コマンドに対する応答として、前記選択したインク識別情報を有するインクタンクからタンク固有情報を受信し、(v)受信したタンク固有情報を有するインクタンクを前記タンク固有情報要求コマンドに応答しない無応答状態にするための無応答コマンドを、前記共通配線に送信し、(vi)その後、前記タンク固有情報要求コマンドを前記共通配線に送信し、当該タンク固有情報要求コマンドに対する応答を受信した場合には、前記選択したインク識別情報を有するインクタンクが２つ以上搭載されていると判定することが可能なように構成されていることを特徴とするプリンタ。
【請求項２】
インク識別情報およびタンク固有情報が記憶されたメモリを有するインクタンクを複数搭載可能な搭載部と、前記搭載部に搭載される複数のインクタンクと共通に電気的に接続可能な共通配線と、前記共通配線と電気的に接続され、前記共通配線を介して前記搭載部に搭載されているインクタンクと情報通信を行うこと可能な制御手段と、を備えたプリンタであって、
前記制御手段は、(i) 前記プリンタで使用可能な複数の異なる種類のインクにそれぞれ対応した複数のインク識別情報の中から１つのインク識別情報を選択し、(ii) 選択したインク識別情報を有するインクタンクにタンク固有情報の返信を要求するためのタンク固有情報要求コマンドを、前記共通配線に送信し、(iii)前記タンク固有情報要求コマンドに対する応答として、前記選択したインク識別情報を有するインクタンクからタンク固有情報を受信し、(iv) 受信したタンク固有情報を有するインクタンクを前記タンク固有情報要求コマンドに応答しない無応答状態にするための無応答コマンドを、前記共通配線に送信し、(v) その後、前記タンク固有情報要求コマンドを前記共通配線に送信し、当該タンク固有情報要求コマンドに対する応答を受信した場合には、前記選択したインク識別情報を有するインクタンクが２つ以上搭載されていると判定することが可能なように構成されていることを特徴とするプリンタ。
【請求項３】
前記制御手段は、前記タンク固有情報要求コマンドに対する応答として前記タンク固有情報を受信しなかった場合、前記選択したインク識別情報を有するインクタンクは２つ以上搭載されていないと判定することが可能なように構成されていることを特徴とする請求項１または２に記載のプリンタ。
【請求項４】
前記無効無応答コマンドは、前記所定時間の間、前記インクタンクを前記無応答状態にするためのコマントであり、
前記制御手段は、前記無応答コマンドの送信後、前記所定時間が経過する前に前記タンク固有情報要求コマンドを送信することを特徴とする請求項１乃至３のいずれかに記載のプリンタ。
【請求項５】
前記メモリを有する前記インクタンクを更に備えることを特徴とする請求項１乃至４のいずれかに記載のプリンタ。
【請求項６】
前記インクタンクは、前記メモリと電気的に接続されたタンク側制御部を更に備え、
前記タンク側制御部は、(i)前記共通配線を介して前記制御手段から前記インク識別情報と関連付けられたタンク固有情報要求コマンドを前記共通配線から受信でき、受信したインク識別情報と前記メモリに記憶されたインク識別情報とが対応する場合に前記タンク固有情報要求コマンドに対する応答として前記メモリに記憶されたタンク固有情報を出力できるように構成され、且つ、(ii)前記共通配線を介して前記制御手段から前記タンク固有情報と関連付けられた無応答コマンドを前記共通配線から受信でき、受信したタンク固有情報と前記メモリに記憶されたタンク固有情報とが対応する場合に前記無応答コマンドに応じて前記インクタンクを前記無応答状態にすることができるように構成されていることを特徴とする請求項１乃至５のいずれかに記載のプリンタ。
【請求項７】
インク識別情報およびタンク固有情報が記憶されたメモリを有するインクタンクを複数搭載可能な搭載部と、前記搭載部に搭載される複数のインクタンクと共通に電気的に接続可能な共通配線と、前記共通配線と電気的に接続され、前記共通配線を介して前記搭載部に搭載されているインクタンクと情報通信を行うこと可能な制御手段と、を備えたプリンタであって、
前記制御手段は、(i)前記搭載部に搭載されているインクタンクからインク識別情報を受信し、(ii)受信したインク識別情報の中から１つのインク識別情報を選択し、(iii)選択したインク識別情報を有するインクタンクにタンク固有情報の返信を要求するための第１コマンドを、前記共通配線に送信し、(iv)前記第１コマンドに対する応答として、前記選択したインク識別情報を有するインクタンクからタンク固有情報を受信し、(v) 受信したタンク固有情報を有するインクタンクにタンク固有情報の返信を要求するための第２コマンドを、前記共通配線に送信し、(vi)(vi-i)前記第２コマンドに対する応答としてタンク固有情報を受信しなかった場合には前記選択したインク識別情報を有するインクタンクが２つ以上搭載されていると判定し、(vi-ii)前記第２コマンドに対する応答としてタンク固有情報を受信した場合には、受信したタンク固有情報を有するインクタンクを所定時間の間、前記第２コマンドに応答しない無応答状態にするための第３コマンドを、前記共通配線に送信し、(vii)その後、前記所定時間が経過する前に前記第２コマンドを前記共通配線に送信し、当該第２コマンドに対する応答を受信した場合には前記選択したインク識別情報を有するインクタンクが２つ以上搭載されていると判定し、前記第２コマンドに対する応答を受信しなかった場合には前記選択したインク識別情報を有するインクタンクは２つ以上搭載されていないと判定することが可能なように構成されていることを特徴とするプリンタ。
【請求項８】
インク識別情報およびタンク固有情報が記憶されたメモリを有するインクタンクを複数搭載可能な搭載部と、前記搭載部に搭載される複数のインクタンクと共通に電気的に接続可能な共通配線と、前記共通配線と電気的に接続され、前記共通配線を介して前記搭載部に搭載されているインクタンクと情報通信を行うこと可能な制御手段と、を備えたプリンタであって、
前記制御手段は、(i) 前記プリンタで使用可能な複数の異なる種類のインクにそれぞれ対応した複数のインク識別情報の中から１つのインク識別情報を選択し、(ii)選択したインク識別情報を有するインクタンクにタンク固有情報の返信を要求するための第１コマンドを、前記共通配線に送信し、(iii)前記第１コマンドに対する応答として、前記選択したインク識別情報を有するインクタンクからタンク固有情報を受信し、(iv) 受信したタンク固有情報を有するインクタンクにタンク固有情報の返信を要求するための第２コマンドを、前記共通配線に送信し、(v)(v-i)前記第２コマンドに対する応答としてタンク固有情報を受信しなかった場合には前記選択したインク識別情報を有するインクタンクが２つ以上搭載されていると判定し、(v-ii)前記第２コマンドに対する応答としてタンク固有情報を受信した場合には、受信したタンク固有情報を有するインクタンクを所定時間の間、前記第２コマンドに応答しない無応答状態にするための第３コマンドを、前記共通配線に送信し、(vi)その後、前記所定時間が経過する前に前記第２コマンドを前記共通配線に送信し、当該第２コマンドに対する応答を受信した場合には前記選択したインク識別情報を有するインクタンクが２つ以上搭載されていると判定し、前記第２コマンドに対する応答を受信しなかった場合には前記選択したインク識別情報を有するインクタンクは２つ以上搭載されていないと判定することが可能なように構成されていることを特徴とするプリンタ。
【請求項９】
前記メモリを有する前記インクタンクを更に備えることを特徴とする請求項７または８に記載のプリンタ。
【請求項１０】
前記インクタンクは、前記メモリと電気的に接続されたタンク側制御部を更に備え、
前記タンク側制御部は、(i)前記共通配線を介して前記制御手段から前記インク識別情報と関連付けられた第１コマンドを前記共通配線から受信でき、受信したインク識別情報と前記メモリに記憶されたインク識別情報とが対応した場合に前記第１コマンドに対する応答として前記メモリに記憶されたタンク固有情報を出力できるように構成され、(ii) 前記共通配線を介して前記制御手段から前記タンク固有情報と関連付けられた第２コマンドを前記共通配線から受信でき、受信したタンク固有情報と前記メモリに記憶されたタンク固有情報とが対応する場合に前記第２コマンドに対する応答として前記メモリに記憶されたタンク固有情報を出力できるように構成され、且つ、(iii)前記共通配線を介して前記制御手段から前記タンク固有情報と関連付けられた第３コマンドを前記共通配線から受信でき、受信したタンク固有情報と前記メモリに記憶されたタンク固有情報とが対応する場合に前記第３コマンドに応じて前記インクタンクを前記無応答状態にすることができるように構成されていることを特徴とする請求項７乃至９のいずれかに記載のプリンタ。
【請求項１１】
前記インク識別情報は、前記インクタンクに収納されるインクの色を示すインク色識別情報であることを特徴とする請求項１乃至１０のいずれかに記載のプリンタ。
【請求項１２】
前記タンク固有情報は、前記インクタンクに固有に割り当てられた番号を示す固有番号情報であることを特徴とする請求項１乃至１１のいずれかに記載のプリンタ。
【請求項１３】
(i) 複数のインクタンク装着部と、(ii)前記複数のインクタンク装着部にそれぞれ対応して設けられた複数の本体側電気接点と、(iii)前記複数の本体側電気接点と共通に電気的に接続された共通配線と、(iv)前記共通配線を介して前記インクタンク装着部に装着されているインクタンクと情報通信を行うことが可能な本体側制御手段であって、(iv-i)前記複数のインクタンク装着部に装着されているインクタンクからインク識別情報を受信し、(iv-ii)受信したインク識別情報の中から１つのインク識別情報を選択し、(iv-iii)選択したインク識別情報を有するインクタンクにタンク固有情報の返信を要求するためのタンク固有情報要求コマンドを、前記共通配線に送信し、(iv-iv)前記タンク固有情報要求コマンドに対する応答として、前記選択したインク識別情報を有するインクタンクからタンク固有情報を受信し、(iv-v)受信したタンク固有情報を有するインクタンクを前記タンク固有情報要求コマンドに応答しない無応答状態にするための無応答コマンドを、前記共通配線に送信し、(iv-vi)その後、前記タンク固有情報要求コマンドを前記共通配線に送信し、当該タンク固有情報要求コマンドに対する応答を受信した場合には、前記選択したインク識別情報を有するインクタンクが２つ以上搭載されていると判定することが可能なように構成されている制御手段と、を備えたプリンタの前記インクタンク装着部に装着可能なインクタンクであって、
インクを収納するための収納部と、
前記収納部に収納されるインクの種類を識別するためのインク識別情報および前記インクタンク固有の情報に対応したタンク固有情報が記憶されたメモリと、
前記本体側電気接点と電気的に接続可能なタンク側電気接点と、
(i)前記タンク側電気接点、前記本体側接点および前記共通配線を介して前記制御手段から受信した前記タンク固有情報要求コマンドに応じて、前記メモリに記憶されたタンク固有情報を前記タンク側電気接点に出力することができるように構成され、且つ、(ii)前記タンク側電気接点、前記本体側接点および前記共通配線を介して前記制御手段から受信した前記無応答コマンドに応じて、前記インクタンクを無応答状態にすることができるように構成されているタンク側制御部と、
を備えたことを特徴とするインクタンク。
【請求項１４】
(i) 複数のインクタンク装着部と、(ii)前記複数のインクタンク装着部にそれぞれ対応して設けられた複数の本体側電気接点と、(iii)前記複数の本体側電気接点と共通に電気的に接続された共通配線と、(iv)前記共通配線を介して前記インクタンク装着部に装着されているインクタンクと情報通信を行うことが可能な本体側制御手段であって、(iv-i)プリンタで使用可能な複数の種類のインクにそれぞれ対応した複数のインク識別情報の中から１つのインク識別情報を選択し、(iv-ii)選択したインク識別情報を有するインクタンクにタンク固有情報の返信を要求するためのタンク固有情報要求コマンドを、前記共通配線に送信し、(iv-iii)前記タンク固有情報要求コマンドに対する応答として、前記選択したインク識別情報を有するインクタンクからタンク固有情報を受信し、(iv-iv)受信したタンク固有情報を有するインクタンクを前記タンク固有情報要求コマンドに応答しない無応答状態にするための無応答コマンドを、前記共通配線に送信し、(iv-v)その後、前記タンク固有情報要求コマンドを前記共通配線に送信し、当該タンク固有情報要求コマンドに対する応答を受信した場合には、前記選択したインク識別情報を有するインクタンクが２つ以上搭載されていると判定することが可能なように構成されている制御手段と、を備えたプリンタの前記インクタンク装着部に装着可能なインクタンクであって、
インクを収納するための収納部と、
前記収納部に収納されるインクの種類を識別するためのインク識別情報および前記インクタンク固有の情報に対応したタンク固有情報が記憶されたメモリと、
前記本体側電気接点と電気的に接続可能なタンク側電気接点と、
(i)前記タンク側電気接点、前記本体側接点および前記共通配線を介して前記制御手段から受信した前記タンク固有情報要求コマンドに応じて、前記メモリに記憶されたタンク固有情報を前記タンク側電気接点に出力することができるように構成され、且つ、(ii)前記タンク側電気接点、前記本体側接点および前記共通配線を介して前記制御手段から受信した前記無応答コマンドに応じて、前記インクタンクを無応答状態にすることができるように構成されているタンク側制御部と、
を備えたことを特徴とするインクタンク。
【請求項１５】
前記タンク側制御手段は、前記無応答コマンドの送信後、所定時間が経過する前に前記タンク固有情報要求コマンドを受信し、受信した前記タンク固有情報要求コマンドに応じて、前記インクタンクを前記所定時間の間、前記無応答状態にすることができるように構成されていることを特徴とする請求項１３または１４に記載のインクタンク。
【請求項１６】
前記タンク側制御部は、(i)前記インク識別情報と関連付けられたタンク固有情報要求コマンドを受信でき、受信したインク識別情報と前記メモリに記憶されたインク識別情報とが対応する場合に前記タンク固有情報要求コマンドに応じて前記メモリに記憶されたタンク固有情報を出力することができるように構成され、且つ、(ii)前記タンク固有情報と関連付けられた無応答コマンドを受信でき、受信したタンク固有情報と前記メモリに記憶されたタンク固有情報とが対応する場合に前記無応答コマンドに応じて前記インクタンクを前記無応答状態にすることができるように構成されていることを特徴とする請求項１３乃至１５のいずれかに記載のインクタンク。
【請求項１７】
(i) 複数のインクタンク装着部と、(ii)前記複数のインクタンク装着部にそれぞれ対応して設けられた複数の本体側電気接点と、(iii)前記複数の本体側電気接点と共通に電気的に接続された共通配線と、(iv)前記共通配線を介して前記インクタンク装着部に装着されているインクタンクと情報通信を行うことが可能な本体側制御手段であって、(iv-i) 前記複数のインクタンク装着部に装着されているインクタンクからインク識別情報を受信し、(iv-ii)受信したインク識別情報の中から１つのインク識別情報を選択し、(iv-iii)選択したインク識別情報を有するインクタンクにタンク固有情報の返信を要求するための第１コマンドを、前記共通配線に送信し、(iv-iv)前記第１コマンドに対する応答として、前記選択したインク識別情報を有するインクタンクからタンク固有情報を受信し、(iv-v) 受信したタンク固有情報を有するインクタンクにタンク固有情報の返信を要求するための第２コマンドを、前記共通配線に送信し、(iv-vi)(iv-vi-i)前記第２コマンドに対する応答としてタンク固有情報を受信しなかった場合には前記選択したインク識別情報を有するインクタンクが２つ以上搭載されていると判定し、(iv-vi-ii)前記第２コマンドに対する応答としてタンク固有情報を受信した場合には、受信したタンク固有情報を有するインクタンクを所定時間の間、前記第２コマンドに応答しない無応答状態にするための第３コマンドを、前記共通配線に送信し、(iv-vii)その後、前記所定時間が経過する前に前記第２コマンドを前記共通配線に送信し、当該第２コマンドに対する応答を受信した場合には前記選択したインク識別情報を有するインクタンクが２つ以上搭載されていると判定し、前記第２コマンドに対する応答を受信しなかった場合には前記選択したインク識別情報を有するインクタンクは２つ以上搭載されていないと判定することが可能なように構成されている本体側制御手段と、を備えたプリンタの前記インクタンク装着部に装着可能なインクタンクであって、
インクを収納するための収納部と、
前記収納部に収納されるインクの種類を識別するためのインク識別情報および前記インクタンク固有の情報に対応したタンク固有情報が記憶されたメモリと、
前記本体側電気接点と電気的に接続可能なタンク側電気接点と、
(i)前記タンク側電気接点、前記本体側接点および前記共通配線を介して前記制御手段から受信した前記第１コマンドに応じて、前記メモリに記憶されたタンク固有情報を前記タンク側電気接点に出力することができるように構成され、(ii)前記タンク側電気接点、前記本体側接点および前記共通配線を介して前記制御手段から受信した前記第２コマンドに応じて、前記メモリに記憶されたタンク固有情報を前記タンク側電気接点に出力することができるように構成され、且つ、(iii)前記タンク側電気接点、前記本体側接点および前記共通配線を介して前記制御手段から受信した前記第３コマンドに応じて、前記インクタンクを無応答状態にすることができるように構成されているタンク側制御部と、
を備えることを特徴とするインクタンク。
【請求項１８】
(i) 複数のインクタンク装着部と、(ii)前記複数のインクタンク装着部にそれぞれ対応して設けられた複数の本体側電気接点と、(iii)前記複数の本体側電気接点と共通に電気的に接続された共通配線と、(iv)前記共通配線を介して前記インクタンク装着部に装着されているインクタンクと情報通信を行うことが可能な本体側制御手段であって、(iv-i) プリンタで使用可能な複数の種類のインクにそれぞれ対応した複数のインク識別情報の中から１つのインク識別情報を選択し、(iv-ii)選択したインク識別情報を有するインクタンクにタンク固有情報の返信を要求するための第１コマンドを、前記共通配線に送信し、(iv-iii)前記第１コマンドに対する応答として、前記選択したインク識別情報を有するインクタンクからタンク固有情報を受信し、(iv-iv) 受信したタンク固有情報を有するインクタンクにタンク固有情報の返信を要求するための第２コマンドを、前記共通配線に送信し、(iv-v)(iv-v-i)前記第２コマンドに対する応答としてタンク固有情報を受信しなかった場合には前記選択したインク識別情報を有するインクタンクが２つ以上搭載されていると判定し、(iv-v-ii)前記第２コマンドに対する応答としてタンク固有情報を受信した場合には、受信したタンク固有情報を有するインクタンクを所定時間の間、前記第２コマンドに応答しない無応答状態にするための第３コマンドを、前記共通配線に送信し、(iv-vi)その後、前記所定時間が経過する前に前記第２コマンドを前記共通配線に送信し、当該第２コマンドに対する応答を受信した場合には前記選択したインク識別情報を有するインクタンクが２つ以上搭載されていると判定し、前記第２コマンドに対する応答を受信しなかった場合には前記選択したインク識別情報を有するインクタンクは２つ以上搭載されていないと判定することが可能なように構成されている本体側制御手段と、を備えたプリンタの前記インクタンク装着部に装着可能なインクタンクであって、
インクを収納するための収納部と、
前記収納部に収納されるインクの種類を識別するためのインク識別情報および前記インクタンク固有の情報に対応したタンク固有情報が記憶されたメモリと、
(i)前記タンク側電気接点、前記本体側接点および前記共通配線を介して前記制御手段から受信した前記第１コマンドに応じて、前記メモリに記憶されたタンク固有情報を前記タンク側電気接点に出力することができるように構成され、(ii)前記タンク側電気接点、前記本体側接点および前記共通配線を介して前記制御手段から受信した前記第２コマンドに応じて、前記メモリに記憶されたタンク固有情報を前記タンク側電気接点に出力することができるように構成され、且つ、(iii)前記タンク側電気接点、前記本体側接点および前記共通配線を介して前記制御手段から受信した前記第３コマンドに応じて、前記インクタンクを無応答状態にすることができるように構成されているタンク側制御部と、
を備えることを特徴とするインクタンク。
【請求項１９】
前記タンク側制御部は、(i)前記インク識別情報と関連付けられた第１コマンドを受信でき、受信したインク識別情報と前記メモリに記憶されたインク識別情報とが対応した場合に前記第１コマンドに応じて前記メモリに記憶されたタンク固有情報を出力することができるように構成され、(ii) 前記タンク固有情報と関連付けられた第２コマンドを受信でき、受信したタンク固有情報と前記メモリに記憶されたタンク固有情報とが対応する場合に前記第２コマンドに応じて前記メモリに記憶されたタンク固有情報を出力することができるように構成され、且つ、(iii)前記タンク固有情報と関連付けられた第３コマンドを受信でき、受信したタンク固有情報と前記メモリに記憶された前記タンク固有情報とが対応する場合に前記第３コマンドに応じて前記インクタンクを前記無応答状態にすることができるに構成されていることを特徴とする請求項１７または１８に記載のインクタンク。
【請求項２０】
前記インク識別情報は、前記インクタンクに収納されるインクの色を示すインク色識別情報であることを特徴とする請求項１３乃至１９のいずれかに記載のインクタンク。
【請求項２１】
前記タンク固有情報は、前記インクタンクに固有に割り当てられた番号を示す固有番号情報であることを特徴とする請求項１３乃至２０のいずれかに記載のインクタンク。